(57)【要約】【課題】  バックホーは作業性の高い建設機械であるがバケットから挟み等の各種のアタッチメントに交換するのは慣れていても大変な作業で  作業の途中で一寸だけ交換出来れば効率がいいことがよくあるが交換というのは面倒でなかなか出来なかった。【解決手段】本発明はバックホーのアーム先端に既存のバケットは付けたまま簡単に挟みタイプのアタッチメントが脱着出来るようアタッチメント専用のピンホールを設けた発明である。【選択図】図２
2013133699.tif 000002
【特許請求の範囲】
【請求項１】
バックホーのアーム▲１▼先端に既存のバケットのピンホール▲３▼▲４▼とは別に既存のピンホール近くにアタッチメント専用のピンホール▲５▼を設けたアタッチメント装着専用ピンホール付きアーム。
【請求項２】
バックホーのアーム▲１▼先端の両側面  既存のピンホール▲３▼▲４▼の間に両方のピンホール外輪に接する程度の幅で三角状の側面板▲６▼が設置出来るよう側面板▲６▼の上部に連結用のピン穴▲７▼を設けその下にアームの上面に乗せられるよう両側から中央までせり出した受け板を取り付ける、アーム下面より下に伸びた側面板▲６▼の前後２ヶ所にアタッチメントとをボルトピン▲１０▼で連結するためのアタッチメント装着用専用のピン穴▲８▼を設けた機具
【請求項３】
請求項３の発明はアーム先端の既存のピンに通してアタッチメントを連結出来るよう  一端に既存の第二バケットピンホール▲４▼の外輪部が入り込む大きさのピン穴▲１２▼ともう一端にアタッチメントと連結するためのボルトピンが通せるピン穴▲１３▼を有する連結プレート▲１５▼と  一端にバケット▲２▼側のピン穴外輪部がはまり込む大きさのピン穴▲１１▼を有し  もう一端にアタッチメントと連結するためのボルトピンが通せるピン穴▲１３▼を有する連結プレート▲１４▼  それぞれをアーム側面の両側に２枚を１組としてピンホール外輪部の隙間に通してアタッチメントを装着できるにした機具
【請求項４】
請求項４の発明はバックホーのアーム先端下面に板状のピンでアタッチメントと連結出来るよう四角い筒状のケースを溶着したアーム
【請求項５】
請求項５の発明は本案に取り付ける挟みタイプのアタッチメントで左右２枚のフォーク板▲１７▼の幅はアーム▲１▼が間に入る幅とし連結ピン▲１０▼で連結出来るよう上部が第二バケットピンに当たらないようにアームと重なる形状としピン穴▲１８▼を設ける、フォーク板▲１７▼の側面に土砂用アタッチメント▲２０▼との連結用ピン穴▲１８▼を設けた事を特徴とする挟みタイプのアタッチメント
【発明の詳細な説明】
【発明の詳細な説明】
【技術分野】
【０００１】本発明は、建設機械のバックホーのアームの改良に関する発明である【０００２】従来、バックホーのバケットを交換する作業は大変で不慣れだとなかなかうまく出来ない、まして  はさみバケットの交換はそれ以上に難しく作業の途中で一寸だけはさみに替えたりバケットに替えたりするのは容易な事ではなかった、また今使われているはさみバケット等の取り付けには必ずバケットピンを外さないと取り付けることはできなかった  、そしてバケットピン以外で取り付ける事は出来なかった。
【発明が解決しようする課題】
【０００３】本発明は  大きな作業性を有する建設機械のアームの先端にバケットとは別に  各種アタッチメントを簡単に装着出来るようにすることによって作業性を高め  利用分野を広め  経費の削減と建設機械の有効利用を図ることを目的とする発明である。
【課題を解決するための手段】
【０００４】この課題を解決するための請求項１の発明は、バックホーのアーム▲１▼先端の既存のバケットピンホール▲３▼▲４▼とは別に同様のアタッチメント専用のピンホール▲５▼を設けた構造でこの専用のピンホールの位置は既存のバケットピン付近とし  既存のピンホールと並行に設置し  数は１本ないし２本とし形状の基本は丸形とするが四角でも三角でもよくアタッチメント側のピン穴の内径と合えばよい。
【発明の効果】
【０００５】本発明を利用実施することによりバケット▲２▼とは別に取り付ける構造であるため作業の途中で挟む為のアタッチメント等を用意に装着したり外したり出来る、本案のアタッチメント専用のピンホール▲５▼があることによって他さまざまのアタッチメントをバケット▲２▼を外すことなく強固に装着出来るようになり  ひいては作業時間の短縮  経費の削減になり、アタッチメント専用のピンホール▲５▼があることによって  高価で高い作業能力のある建設機械の利用分野が広がり  多くの人の役にたち  この連結用の穴があることによって又新しい便利なアタッチメントが作り出させる可能性を有する。
【発明を実施するための最良の形態】
【０００６】請求項１の発明を利用実施するには本案専用に作られたアタッチメントのピン穴と本案のピンホール▲５▼をピンで連結するだけでよい、また不要な時にはピンを抜いて外すだけでよい。【０００７】請求項２の発明は現在出来ていてまた稼働中のバックホーのアームの先端にアタッチメント専用のピンの受け穴を加工溶接しないでアタッチメントを装着出来るようにするための機具でその構造は一対の三角状の側面板▲６▼の上部に側面板▲６▼を連結するためのピン穴▲７▼を設け  下部２ヶ所にアタッチメント連結用のピン穴▲８▼を設け上部ピン穴▲７▼の下にアームに引っ掛けられるよう内方向中央まで直角に伸びる受け板▲９▼を設けその上にアームの横幅と同程度幅の鋼板の上面に鋼管を溶接したピン受け▲１０▼をのせそれぞれのピン穴をピンボルトピンで連結固定出来る構造である  側面板▲６▼は既存の２本のバケットピンホールの間に設置し  その外輪部と接する程度の幅とする【０００８】請求項３の発明は  一端に既存の第２バケットピンホール▲４▼の外輪部がはまり込む大きさのピン穴▲１２▼ともう一端に連結用のボルトピンが通せるピン穴▲１３▼を有する連結プレート▲１５▼と  一端にバケット▲２▼側のピン穴外輪部がはまり込む大きさのピン穴▲１１▼を有し  もう一端に連結用のボルトピンを通せるピン穴▲１３▼を有する連結プレート▲１４▼  それぞれをアーム側面の両側に２枚を１組として設置した構造の機具で  連結プレート▲１５▼のピン穴▲１２▼を第２バケットピンホール外輪部にはめ込み  通常どうりピンで連結  連結プレート▲１４▼のピン穴▲１１▼をバケット▲２▼の内側のピン穴外輪部にはめ込みアーム▲１▼とバケット▲２▼をピンで連結  はさみ等のアタッチメントのピン穴▲１８▼とを連結プレートのピン穴▲１３▼とをボルトピン▲１０▼で連結固定して使用する、使用しない時はピン穴▲１３▼に通した連結ボルト２本を外す  使用しいない時は連結プレートがぶらぶらしないよう固定器具２４で連結しておく【０００９】請求項４の発明はバックホーのアーム先端下面にバケットピンと並行に板ピンで連結出来るの筒状のケースを設置したアーム。【００１０】    請求項５の発明は挟みタイプのアタッチメントの左右２枚のフォーク板▲１７▼の設置間隔はアームが内に入る幅とし  ２本の連結ピン▲１０▼で連結出来るよう上部がアームとの重ね合わさるように突出させた部分にピン穴▲１８▼を２ヶ所設け  その下部方向側面に土砂等を挟めるようなアタッチメントが装着できるよう連結穴▲１９▼を設けた構造の挟みタイプのアタッチメント
【図面の簡単な説明】
【００１１】
【図１】本発明のバックホーのアームのアタッチメント専用の連結用の穴を設けた側面図
【図２】挟みタイプのアタッチメントを装着した状態の斜視図
【図３】側面板使用のアタッチメント装着タイプの機具でアタッチを装着した状態の側面図
【図４】図４の正面図
【図５】バケットピンと連結プレートでアタッチメントを装着状態の側面図
【図６】図５の正面図
【図７】挟みタイプのアタッチメントを装着しそれに土砂挟み板を装着した状態の斜視図
【図８】平板ピンが使用できるアタッチメント専用連結穴を設けた側面図
【図９】連結プレート固定機具使用状況斜視図
【符号の説明】
【００１２】▲１▼        アーム
▲２▼        バケット
▲３▼        第一バケットピンホール
▲４▼        第二バケットピンホール
▲５▼        アタッチメント装着用ピンホール
▲６▼        側面板
▲７▼        側面板連結用ピン穴
▲８▼        アタッチメント装着用ピン穴
▲９▼        受け板
▲１０▼      ピン受け
▲１１▼      第一バケットピンホール外輪部径の穴
▲１２▼      第二バケットピンホール外輪部径の穴
▲１３▼      プレートのアタッチメント装着用ピン穴
▲１４▼      第一バケットピン用連結プレート
▲１５▼      第二バケットピン用連結プレート
▲１６▼      板ピン用ピンホール
▲１７▼      フォーク板
▲１８▼      アタッチメントピン穴
▲１９▼      土砂用アタッチメント装着穴
▲２０▼      土砂用アタッチメン
２１        土砂用連結ピン
２２        土砂受け板
２３        土砂受け連結穴
２４        連結プレート固定機具
【図１】
2013133699.tif 000003
【図２】
2013133699.tif 000004
【図３】
2013133699.tif 000005
【図４】
2013133699.tif 000006
【図５】
2013133699.tif 000007
【図６】
2013133699.tif 000008
【図７】
2013133699.tif 000009
【図８】
2013133699.tif 000010
【図９】
2013133699.tif 000011
【手続補正書】
【提出日】平成24年12月4日(2012.12.4)
【手続補正１】
【補正対象書類名】特許請求の範囲
【補正対象項目名】全文
【補正方法】変更
【補正の内容】
【特許請求の範囲】
【請求項１】
バックホーのアーム▲１▼先端に既存のバケットのピンホール▲３▼▲４▼とは別に既存のピンホール近くにアタッチメント専用のピンホール▲５▼を設けたアタッチメント専用ピンホール付きアーム。
【請求項２】
請求項２の発明は本案に取り付ける挟みタイプのアタッチメントで左右２枚のフォーク板▲１７▼の幅はアーム▲１▼が間に入る幅とし連結ピン▲１０▼で連結出来るよう上部が第２バケットピンに当たらないようにアームと重なる形状としピン穴▲１８▼を設けた事を特長とする挟みタイプのアタッチメント。